(57)【要約】  検知装置(１００)は、保持部（センシングプレート(１１０)、抑えプレート(１２０)）と、振動検知部（加速度センサ(１３０)）とを備えている。保持部は、被収容物（錠剤(３００)）を収容する収容部(２１１)を有する収容シート（ＰＴＰシート(２００)）を保持する。振動検知部は、保持部の振動を検知する。これにより、簡素な構造で、被収容物の取り出しを検出できる。
2015132811.tif 000002
【特許請求の範囲】
【請求項１】
被収容物を収容する収容部を有する収容シートを保持する保持部と、  前記保持部の振動を検知する振動検知部とを備えた検知装置。
【請求項２】
前記保持部は、前記収容シートの少なくとも１つの面を保持する保持板であり、  前記保持板は、前記収容部に対応する位置に貫通するように形成された被収容物取り出し用貫通孔を有する請求項１に記載の検知装置。
【請求項３】
前記保持部は、平板状に形成され、前記収容シートの面のうち、前記被収容物を前記収容部から取り出す側の面である被収容物取り出し面または前記被収容物取り出し面と反対側の面を保持する保持板である請求項２に記載の検知装置。
【請求項４】
前記保持部は、  平板状に形成され、前記収容シートの面のうち、前記被収容物を前記収容部から取り出す側の面である被収容物取り出し面を保持する第１の保持板と、  平板状に形成され、前記収容シートの面のうち、前記被収容物取り出し面と反対側の面を保持する第２の保持板とを有し、  前記第１および第２の保持板で、前記収容シートを挟持するように保持し、  前記第１および第２の保持板の各々は、前記収容部に対応する位置に貫通するように形成された被収容物取り出し用貫通孔を有する請求項１に記載の検知装置。
【請求項５】
前記保持部の振動を助長する弾性部材を有する請求項１〜４のいずれか１項に記載の検知装置。
【請求項６】
前記保持部の剛性を増強する剛性増強部材を有する請求項１〜５のいずれか１項に記載の検知装置。
【請求項７】
前記振動検知部は、前記保持部に取り付けられている請求項１〜６のいずれか１項に記載の検知装置。
【請求項８】
複数の前記振動検知部を有し、  前記複数の振動検知部の各々は、互いに離間して配置されている請求項１〜７のいずれか１項に記載の検知装置。
【請求項９】
前記保持部に取り付けまたは取り外しできるように連結する連結部材を備え、  前記連結部材は、前記振動検知部と、前記振動検知部に電源を供給する電源部とを収容する請求項１〜６のいずれか１項に記載の検知装置。
【請求項１０】
前記保持部に取り付けまたは取り外しできるように連結する連結部材を備え、  前記保持部は、前記振動検知部に電源を供給する電源部を有し、  前記連結部材は、前記振動検知部を収容する請求項１〜６のいずれか１項に記載の検知装置。
【請求項１１】
前記振動検知部により検知された検知結果を外部へ送信する通信部を備えた請求項１〜９に記載の検知装置。
【請求項１２】
前記振動検知部は、加速度センサ、角速度センサ、歪ゲージ、磁界センサまたはレーザ変位計のいずれかを利用する請求項１〜１０に記載の検知装置。
【請求項１３】
被収容物を収容する収容部を有する収容シートと、  前記収容シートを保持する保持部と、  前記保持部の振動を検知する振動検知部とを備えた検知ユニット。
【請求項１４】
検知装置およびサーバ装置を有し、  前記検知装置は、  被収容物を収容する収容部を有する収容シートを保持する保持部と、  前記保持部の振動を検知する振動検知部と、  前記振動検知部により検知された検知結果を前記サーバ装置へ送信する通信部とを備え、  前記サーバ装置は、  前記通信部により送信される前記検知結果を記憶する記憶部を備えた検知システム。
【発明の詳細な説明】
【技術分野】
【０００１】  本発明は、検知装置等に関し、例えば、被収容物（錠剤等）を収容する収容部を有する収容シート（たとえば、ＰＴＰ（Press Through Package）シート等）から被収容物が取り出されたことを検知するものに関する。
【背景技術】
【０００２】  近年、患者が医師や薬剤師等の服薬指示通りに服薬をせず（患者の服薬不履行（non-compliance））、医療費に無駄が生じていることが問題となっている。具体的には、患者が服薬せず廃棄される医薬品のコストが増大したり、服薬指示通りに服薬しないことにより治療効果が減少したりする問題が生じている。【０００３】  また、製薬会社からは、服薬指示通りに服薬しなかったことに起因して副作用が発生したり、本来消費されるべき医薬品が消費されないことにより事業機会を損失したりすることも、指摘されている。【０００４】  さらに、近年の医療技術の進展に伴って、個々の患者の症状や体質に合わせた投薬計画を作成するなど、医薬品の治療効果を最大化する個別化医療も始まっている。このため、より正確な服薬管理が要求されてきている。【０００５】  特許文献１には、薬品を保管しかつ時間的に指示されて受け取るための装置が、開示されている。【０００６】  この装置は、保持枠を有し、錠剤（糖衣錠）を収容ポケットに密閉して収容する薬剤容器を保持枠内に保持する。保持枠には、複数の貫通孔が各収容ポケットの位置に対応して設けられている。錠剤の取り出しに応答する複数のセンサが、複数の貫通孔の各々に取り付けられている。【０００７】  また、この装置には、信号発信器が設けられている。信号発信器は、設定可能な時間が経過した後に作動する。この信号発信器と複数のセンサは、保持枠に設けられた導線により、電気的に接続されている。そして、錠剤が、収容ポケットから取り出されることによって、貫通孔に設けられたセンサの横を通過すると、電気始動パルスがセンサから信号発信器へ供給される。【０００８】  このように、特許文献１に記載の技術では、信号発信器およびセンサは、薬品容器に取り付けられていない。信号発信器およびセンサは、薬品容器の保持枠等に取り付けられている。このため、特許文献１に記載の技術によれば、薬品容器自体に何ら変更を加えることなく、通常使用されている薬品容器をそのまま使用することができる。
【先行技術文献】
【特許文献】
【０００９】
【特許文献１】特公平２−３６２６４号公報
【発明の概要】
【発明が解決しようとする課題】
【００１０】  しかしながら、特許文献１に記載の技術では、複数の貫通孔の各々に対応してセンサを設ける必要があり、信号発信器と各センサを接続する導線を保持枠に設ける必要があった。このため、特許文献１に記載の技術では、錠剤の取り出しを検出するのに、複雑な構造を採用する必要があるという問題があった。【００１１】  本発明は、このような事情を鑑みてなされたものであり、本発明の目的は、簡素な構造で、被収容物の取り出しを検出できる技術を提供することにある。
【課題を解決するための手段】
【００１２】  本発明の検知装置は、被収容物を収容する収容部を有する収容シートを保持する保持部と、前記保持部の振動を検知する振動検知部とを備えている。【００１３】  本発明の検知ユニットは、被収容物を収容する収容部を有する収容シートと、前記収容シートを保持する保持部と、前記保持部の振動を検知する振動検知部とを備えている。【００１４】  本発明の検知システムは、検知装置およびサーバ装置を有し、前記検知装置は、被収容物を収容する収容部を有する収容シートを保持する保持部と、前記保持部の振動を検知する振動検知部と、前記振動検知部により検知された検知結果を前記サーバ装置へ送信する通信部とを備え、前記サーバ装置は、前記通信部により送信される前記検知結果を記憶する記憶部を備えている。
【発明の効果】
【００１５】  本発明にかかる検知装置等によれば、簡素な構造で、被収容物の取り出しを検出できる。
【図面の簡単な説明】
【００１６】
【図１】本発明の第１の実施の形態における検知装置の構成を示す図である。図１（ａ）は、本発明の第１の実施の形態における検知装置の構成を示す上面図である。図１（ｂ）は、本発明の第１の実施の形態における検知装置の構成を示す断面図であって、図１（ａ）のＡ−Ａ切断面における断面図である。
【図２】本発明の第１の実施の形態における検知装置の構成を示す断面図であって、図１（ａ）のＢ−Ｂ切断面における断面図である。
【図３】収容シートの収容部の開口部と、センシングプレートおよび抑えプレートの錠剤取り出し用貫通孔との配置関係との配置関係の一例を示す図である。収容シートの収容部の開口部と、保持板の貫通孔との配置関係を示す図である。
【図４】本発明の第１の実施の形態における検知装置の構成を示すブロック線図である。
【図５】本発明の第１の実施の形態における検知装置に、ＰＴＰシートを取り付ける工程を説明するための図である。
【図６】ＰＴＰシートの収容部の開口部の開封動作を説明するための概念図である。図６（ａ）は、ＰＴＰシートの収容部の開口部を開封する前の状態を示す図である。図６（ｂ）は、ＰＴＰシートの収容部の開口部を開封した後の状態を示す図である。
【図７】ＰＴＰシートの収容部の開口部を開封した際の振動に関するデータを示す図である。
【図８】センシングプレートの機械的特性を示す図である。
【図９】本発明の第１の実施の形態における検知システムの構成を示すブロック線図である。
【図１０】本発明の第１の実施の形態における検知装置の第１変形例の構成を示す上面図である。
【図１１】本発明の第１の実施の形態における検知装置の第２変形例の構成を示す上面図である。
【図１２】本発明の第２の実施の形態における検知装置の構成を示す断面図である。
【図１３】本発明の第３の実施の形態における検知装置の構成を示す断面図である。
【図１４】本発明の第４の実施の形態における検知装置の構成を示す断面図である。
【図１５】本発明の第５の実施の形態における検知装置の構成を示す断面図である。図１５は、本発明の検知装置１００Ｆの構成を示す断面図である。図１５（ａ）は、図２に相当する断面図である。図１５（ｂ）は、図１５（ａ）のＣ−Ｃ切断面における断面図である。
【図１６】本発明の第６の実施の形態における検知装置の構成を示す断面図である。
【図１７】本発明の第７の実施の形態における検知装置の構成を示す断面図である。
【発明を実施するための形態】
【００１７】＜第１の実施の形態＞  本発明の第１の実施の形態における検知装置１００の外観構成について説明する。図１は、検知装置１００の構成を示す図である。図１（ａ）は、検知装置１００の構成を示す上面図である。図１（ｂ）は、検知装置１００の構成を示す断面図であって、図１（ａ）のＡ−Ａ切断面における断面図である。図２は、検知装置１００の構成を示す断面図であって、図１（ａ）のＢ−Ｂ切断面における断面図である。
【００１８】  図１（ａ）、図１（ｂ）および図２に示されるように、検知装置１００には、ＰＴＰシート２００が収容される。
【００１９】  例えば、ＰＴＰシート２００は、図１に示されるように、複数の凸状の収容部２１１を有するトレー部２１０と、収容部２１１を密閉する薄箔シート２２０とから構成される。薄箔シート２２０は、バリアフィルムとも呼ばれている。トレー部２１０の材料には、例えば、薄い板状の樹脂部材が用いられる。すなわち、当該薄い板状の樹脂部材を収容部２１１の形状に合わせて型押し成型することにより、トレー部２１０を作成することができる。薄箔シート２２０の材料には、例えば、アルミニウムが用いられる。収容部２１１の薄箔シート２２０側には、開口部２１２が設けられる。
【００２０】  また、図１（ａ）、図１（ｂ）および図２に示されるように、収容部２１１には、例えば、薬等の錠剤３００が収容される。このとき、錠剤３００は、薄箔シート２２０で収容部２１１を密閉した空間内に収容される。凸状の収容部２１１を薄箔シート２２０へ向けて押圧すると、薄箔シート２２０のうちで開口部２１２に対応する領域が破られる。これにより、錠剤３００を収容部２１１から取り出すことができる。
【００２１】  なお、ＰＴＰシート２００は、本発明の収容シートに対応する。錠剤３００は、本発明の被収容物に対応する。ただし、被収容物は、錠剤３００に限定されない。例えば、被収容物に、文具等を適用してもよい。
【００２２】  図１（ａ）、図１（ｂ）および図２に示されるように、検知装置１００は、センシングプレート１１０と、抑えプレート１２０と、加速度センサ１３０と、データ蓄積用ＩＣ１４１と、制御用ＩＣ１４２と、電池１４３と、実装基板１４４と、接続配線１５０と、電子部品収容部１６０と、ヒンジ１７０と、フック１８０とを備えている。センシングプレート１１０および抑えプレート１２０は、本発明の保持部を構成する。
【００２３】  図１（ａ）、図１（ｂ）および図２に示されるように、センシングプレート１１０は、矩形の平板状に形成されている。センシングプレート１１０は、抑えプレート１２０との間で、収容シート２００を挟持するように保持する。センシングプレート１１０は、ＰＴＰシート２００の面のうち、錠剤３００を収容部２１１から取り出す側の面である錠剤取り出し面２０１を保持する。
【００２４】  また、センシングプレート１１０は、複数の錠剤取り出し用貫通孔１１１と、位置決め用突起部１１３を有する。複数の錠剤取り出し用貫通孔１１１は、複数の収容部２１１の位置に対応する位置に形成されている。また、錠剤取り出し用貫通孔１１１の大きさは、少なくとも錠剤３００の大きさよりも大きく設定されており、収容部２１１の大きさに対応している。位置決め用突起部１１３は、図１（ａ）に示されるように、センシングプレート１１０の上面の４隅に突出するように形成されている。ＰＴＰシート２００が４つの位置決め用突起部１１３の内側の領域内に配置されるように、ＰＴＰシート２００をセンシングプレート１１０の上面上に取り付けることができる。これにより、ＰＴＰシート２００をセンシングプレート１１０の上面上の正確な位置に簡単に取り付けることができる。なお、センシングプレート１１０の材料には、例えば、樹脂材料や金属材料が用いられる。
【００２５】  なお、センシングプレート１１０は、本発明の保持部、保持板および第１の保持板に対応している。錠剤取り出し用貫通孔１１１は、本発明の被収容物取り出し用貫通孔に対応している。錠剤取り出し面２０１は、本発明の被収容物取り出し面に対応する。
【００２６】  図１（ａ）、図１（ｂ）および図２に示されるように、抑えプレート１２０は、矩形の平板状に形成されている。抑えプレート１２０は、センシングプレート１１０との間で、収容シート２００を挟持するように保持する。抑えプレート１２０の主面の大きさは、センシングプレート１１０の主面の大きさに対応している。抑えプレート１２０は、ＰＴＰシート２００の面のうち、錠剤取り出し面２０１と反対側の面２０２を保持する。
【００２７】  また、抑えプレート１２０は、複数の錠剤取り出し用貫通孔１２１が設けられている。この複数の錠剤取り出し用貫通孔１２１は、複数の収容部２１１の位置に対応する位置に形成されている。併せて、この複数の錠剤取り出し用貫通孔１２１は、複数の錠剤取り出し用貫通孔１１１の位置に対応する位置に形成されている。また、錠剤取り出し用貫通孔１２１の大きさは、少なくとも錠剤３００の大きさよりも大きく設定されており、収容部２１１の大きさに対応している。また、錠剤取り出し用貫通孔１２１の大きさは、錠剤取り出し用貫通孔１１１の大きさにも対応している。抑えプレート１２０の材料には、例えば、樹脂材料や金属材料が用いられる。
【００２８】  なお、抑えプレート１２０は、本発明の保持部、保持板および第２の保持板に対応している。錠剤取り出し用貫通孔１２１は、本発明の被収容物取り出し用貫通孔に対応している。錠剤取り出し面と反対側の面２０２は、本発明の被収容物取り出し面と反対側の面に対応する。
【００２９】  図１（ａ）、図１（ｂ）および図２に示されるように、加速度センサ１３０は、センシングプレート１１０に取り付けられている。具体的には、図１（ａ）に示されるように、加速度センサ１３０は、センシングプレート１１０の上面に形成された凹状のセンサ収容部１１２内に収容される。この加速度センサ１３０は、接続配線１５０を介して、データ蓄積用ＩＣ１４１と電気的に接続される。加速度センサ１３０は、保持部を構成するセンシングプレート１１０または抑えプレート１２０の振動を検知する。なお、加速度センサ１３０は、本発明の振動検知部に対応する。加速度センサ１３０には、圧電素子を用いたセンサが用いられる。ただし、本発明の振動検知部は、加速度センサ１３０に限定されない。本発明の振動検知部を、角速度センサ、歪ゲージ、磁界センサまたはレーザ変位計のいずれかで構成してもよい。
【００３０】  図１（ａ）、図１（ｂ）および図２に示されるように、データ蓄積用ＩＣ１４１は、電子部品収容部１６０内に設けられた実装基板１４４上に、実装されている。データ蓄積用ＩＣ１４１は、接続配線１５０を介して、加速度センサ１３０と電気的に接続される。データ蓄積用ＩＣ１４１は、加速度センサ１３０の検知結果を蓄積する。
【００３１】  図１（ａ）、図１（ｂ）および図２に示されるように、制御用ＩＣ１４２は、電子部品収容部１６０内に設けられた実装基板１４４上に、実装されている。制御用ＩＣ１４２は、実装基板１４４上の様々な電子部品を制御する。
【００３２】  図１（ａ）、図１（ｂ）および図２に示されるように、電池１４３は、電子部品収容部１６０内に設けられた実装基板１４４上に、実装されている。電池１４３は、実装基板１４４上の様々な電子部品に電源を供給する。
【００３３】  図１（ａ）、図１（ｂ）および図２に示されるように、実装基板１４４は、電子部品収容部１６０内に取り付けられている。実装基板１４４の材料には、例えば、ガラスエポキシ樹脂等が用いられる。
【００３４】  図１（ａ）、図１（ｂ）および図２に示されるように、接続配線１５０は、センシングプレート１１０の上面に設けられている。接続配線１５０は、データ蓄積用ＩＣ１４１および加速度センサ１３０を電気的に接続する。接続配線１５０の材料には、例えば、フレキシブルプリント基板（ＦＰＣ：Flexible Printed Circuits）が、用いられる。
【００３５】  図１（ａ）、図１（ｂ）および図２に示されるように、電子部品収容部１６０は、センシングプレート１１０の一端部側に取り付けられている。電子部品収容部１６０の内部は空洞になっている。電子部品収容部１６０の内部には、データ蓄積用ＩＣ１４１、制御用ＩＣ１４２、電池１４３および実装基板１４４等が、収容されている。電子部品収容部１６０の材料には、例えば、樹脂材料や金属材料が用いられる。
【００３６】  図１（ａ）および図１（ｂ）に示されるように、ヒンジ１７０は、センシングプレート１１０および抑えプレート１２０を連結する。抑えプレート１２０は、ヒンジ１７０を中心に、センシングプレート１１０から離れる方向または近づく方向に回転することができる。
【００３７】  図１（ａ）、図１（ｂ）および図２に示されるように、フック１８０は、電子部品収容部１６０に突出するように形成されている。フック１８０は、抑えプレート１２０の一端部を係止する。これにより、センシングプレート１１０および抑えプレート１２０の間にＰＴＰシート２００を配置した状態で、ＰＴＰシート２００を挟持することができる。
【００３８】  ここで、収容シート２００の収容部２１１の開口部と、センシングプレート１１０および抑えプレート１２０の錠剤取り出し用貫通孔１１１、１２１との配置関係との配置関係の別例を説明する。
【００３９】  図３は、収容シート２００の収容部２１１の開口部２１２と、センシングプレート１１０および抑えプレート１２０の錠剤取り出し用貫通孔１１１ａ、１２１ａとの配置関係との配置関係を示す図である。
【００４０】  図１（ａ）、図１（ｂ）および図２では、収容シート２００の収容部２１１の開口部２１２は、センシングプレート１１０および抑えプレート１２０の錠剤取り出し用貫通孔１１１、１２１の内壁に沿って形成されていた。これに対して、図３では、収容シート２００の収容部２１１の開口部２１２は、センシングプレート１１０および抑えプレート１２０の錠剤取り出し用貫通孔１１１、１２１の内壁に沿って形成されていない。すなわち、図３に示されるように、収容シート２００の収容部２１１の開口部２１２は、円形状に形成されている。これに対して、センシングプレート１１０および抑えプレート１２０の錠剤取り出し用貫通孔１１１ａ、１２１ａは、楕円状に形成されている。これにより、収容シート２００の収容部２１１の開口部２１２の外周部の一部が、センシングプレート１１０および抑えプレート１２０の錠剤取り出し用貫通孔１１１ａ、１２１ａ外周部と互いに重なるように配置される（図３の斜線領域）。これにより、凸状の収容部２１１を薄箔シート２２０へ向けて押圧した際に、収容部２１１の開口部２１２の外周部の一部が図３の斜線領域で保持される。このため、安定した状態で、凸状の収容部２１１の押圧により、薄箔シート２２０の開口部２１２に対応する領域を開封することができる。この結果、より安定した状態で、錠剤３００を収容部２１１から取り出すことができる。
【００４１】  以上、検知装置１００の外観構成について、説明した。
【００４２】  次に、検知装置１００の電気回路構成について説明する。図４は、検知装置１００の構成を示すブロック線図である。
【００４３】  図４に示されるように、検知装置１００は、振動検知回路１９１と、記憶回路１９２と、電池１９３と、電源回路１９４と、通信回路１９５と、制御回路１９６とを備えている。
【００４４】  図４に示されるように、振動検知回路１９１は、制御回路１６９に電気的に接続されている。振動検知回路１９１は、保持部を構成するセンシングプレート１１０または抑えプレート１２０の振動を検知する。振動検知回路１９１は、加速度センサ１３０を含む。
【００４５】  図４に示されるように、記憶回路１９２は、制御回路１９６に接続されている。記憶回路１９２は、振動検知回路１９１により取得される検知結果を蓄積する。なお、記憶回路１９２は、データ蓄積用ＩＣ１４１を含む。
【００４６】  図４に示されるように、電池１９３は、電源回路１９４に電気的に接続されている。電池１９３は、振動検知回路１９１、記憶回路１９２、電源回路１９４および制御回路１９６等の様々な電子部品に電源を供給する。なお、電池１９３は、電池１４３に対応する。
【００４７】  図４に示されるように、電源回路１９４は、電池１９３および制御回路１９６に接続されている。電源回路１９４は、制御部１９６の制御に従って、電池１９３に電源を供給させる。
【００４８】  図４に示されるように、通信回路１９５は、制御回路１９６に電気的に接続されている。通信回路１９５は、振動検知回路１９１に含まれる加速度センサ１３０により検知された検知結果を検知装置１００の外部へ送信する。通信回路１９５は、本発明の通信部に対応する。
【００４９】  図４に示されるように、制御回路１９６は、振動検知回路１９１、記憶回路１９２、電池１９３、電源回路１９４および通信回路１９５に、電気的に接続されている。制御部回路１９６は、振動検知回路１９１、記憶回路１９２、電池１９３、電源回路１９４および通信回路１９５を制御する。制御回路１９６は、制御用ＩＣ１４３を含む。
【００５０】  以上、検知装置１００の電気回路構成について説明した。
【００５１】  次に、検知装置１００の動作について説明する。
【００５２】  まず、検知装置１００にＰＴＰシートシート２００を取り付ける。図５は、検知装置１００に、ＰＴＰシート２００を取り付ける工程を説明するための図である。
【００５３】  図５に示されるように、まず、抑えプレート１２０を、ヒンジ１７０を中心に、センシングプレート１１０から離れる方向α１に回転させる。これにより、センシングプレート１１０の上面が開放される。
【００５４】  次に、ＰＴＰシート２００をセンシングプレート１１０の上面上に取り付ける。このとき、ＰＴＰシートシート２００の錠剤取り出し面２０１およびセンシングプレート１１０の上面が互いに向かい合うように設定する。また、４つの位置決め用突起部１１３の内側の領域内に、ＰＴＰシート２００が配置されるように設定する。これにより、ＰＴＰシート２００をセンシングプレート１１０の上面上の正確な位置に簡単に取り付けることができる。
【００５５】  次に、図５に示されるように、抑えプレート１２０を、ヒンジ１７０を中心に、センシングプレート１１０に近づく方向α２に回転させる。そして、抑えプレート１２０の一端部をフック１８０に係止する。これにより、センシングプレート１１０および抑えプレート１２０の間でＰＴＰシート２００を挟持した状態で、ＰＴＰシート２００を保持することができる。
【００５６】  次に、電源回路１９４を作動することにより、電源１９３を振動検知回路１９１等の各回路へ供給する。これにより、特に、振動検知回路１９１は、保持部を構成するセンシングプレート１１０または抑えプレート１２０の振動を検知できる状態となる。
【００５７】  次に、検知装置１００の利用者が、錠剤３００をＰＴＰシート２００の収容部２１１から取り出す。
【００５８】  ここで、ＰＴＰシート２００の収容部２１１の開口部２１２の開封動作について、説明する。図６は、ＰＴＰシート２００の収容部２１１の開口部２１２の開封動作を説明するための概念図である。図６（ａ）は、ＰＴＰシート２００の収容部２１１の開口部２１２を開封する前の状態を示す図である。図６（ｂ）は、ＰＴＰシート２００の収容部２１１の開口部２１２を開封した後の状態を示す図である。
【００５９】  図６（ａ）に示されるように、ＰＴＰシート２００の収容部２１１の突出側の先端部を指ＹＢで押圧する。すると、図６（ａ）に示されるように、ＰＴＰシート２００とセンシングシート１１０が、指ＹＢの押圧力によって撓む。そして、図６（ｂ）に示されるように、収容部２１１の突出側が指ＹＢの押圧力によって潰されると、収容部２１１内の錠剤３００が、ＰＴＰシート２００の薄箔シート２２０を破って、収容部２１１の開口部２１２が開封される。この結果、収容部２１１内の錠剤３００が、収容部２１１の開口部２１２から取り出される。なお、図６（ａ）および図６（ｂ）には、抑えシート１２０を示していない。しかしながら、抑えシート１２０も、指ＹＢの押圧力によって、センシングシート１１０と同じように撓む。
【００６０】  以上、ＰＴＰシート２００の収容部２１１の開口部２１２の開封動作を、図６を用いて説明した。
【００６１】  次に、振動検知回路１９１の加速度センサ１３０が、保持部を構成するセンシングプレート１１０または抑えプレート１２０の振動を検知する。
【００６２】  図７は、ＰＴＰシート２００の収容部２１１の開口部２１２を開封した際の振動に関するデータを示す図である。図７では、縦軸に加速度センサ１３０により測定された加速度、横軸に加速度センサ１３０の測定時間を設定している。
【００６３】  図７に示されるように、加速度センサ１３０は、Ｐ１〜Ｐ３の３点の加速度の測定値に基づいて、センシングプレート１１０または抑えプレート１２０に開封に伴う振動が生じたか否かを判断する。
【００６４】  Ｐ１は、「押し込み開始点」である。すなわち、この「押し込み開始点」は、指ＹＢにより収容部２１１が押圧され始めた時点に対応する。図７に示されるように、「押し込み開始点」では、加速度の大きさがひげ状にわずかに大きくなっている。
【００６５】  Ｐ２は、「薄箔シート破断点」である。すなわち、この「薄箔シート破断点」は、指ＹＢにより収容部２１１が押圧された結果、薄箔シート２２０が破断した瞬間を示す点である。「薄箔シート破断点」では、大きな加速度の変化が生じている。なお、薄箔シートは、前述の通り、バリアフィルムとも呼ばれる。このため、「薄箔シート破断点」はバリアフィルム破断点とも呼ばれている。
【００６６】  Ｐ３は、「開封動作終了点」である。すなわち、「開封封動作終了点」は、指ＹＢによる収容部２１１の押圧が完了した時点である。図７に示されるように、「開封封動作終了点」では、加速度の変化がおさまり、平常状態になっている。
【００６７】  加速度センサ１３０は、前述の通り、Ｐ１〜Ｐ３の３点の加速度の測定値に基づいて、センシングプレート１１０または抑えプレート１２０に開封に伴う振動が生じたか否かを判断する。すなわち、例えば、Ｐ１点とＰ２点とＰ３点の加速度の測定値の関係に所定の条件を設定したりする。より具体的な例として、Ｐ２点での加速度の測定値が閾値である20m/s^2、よりも大きく、且つ、閾値を超える加速度が20ms以内に２回以上検出された場合。さらには、P2点の前後１秒以内に10Hz以下で振幅5m/s^2以上の振動が認められた場合に、加速度センサ１３０はセンシングプレート１１０または抑えプレート１２０に開封に伴う振動が生じたと判断する。
【００６８】  また、検知装置１００は、センシングプレート１１０または抑えプレート１２０に振動が生じたことをもって、錠剤３００がＰＴＰシート２００から取り出されたことを認識する。このように、加速度センサ１３０がセンシングプレート１１０または抑えプレート１２０に振動が生じたことを検知した結果、検知装置１００は錠剤３００がＰＴＰシート２００から取り出されたことを認識することができる。
【００６９】  このようにして、本発明の検知装置１００では、加速度センサ１３０によりセンシングプレート１１０または抑えプレート１２０に開封に伴う振動が生じたか否かを検知する。そして、センシングプレート１１０または抑えプレート１２０に開封に伴う振動が生じたと、加速度センサ１３０により検知された場合、検知装置１００は錠剤３００がＰＴＰシート２００から取り出されたことを検出する。一方、センシングプレート１１０または抑えプレート１２０に開封に伴う振動が生じたと、加速度センサ１３０により検知されない間は、検知装置１００は錠剤３００がＰＴＰシート２００から取り出されていないと認識する。
【００７０】  また、必要に応じて、通信回路１９５は、振動検知回路１９１に含まれる加速度センサ１３０により検知された検知結果を検知装置１００の外部へ送信する。これにより、錠剤３００がＰＴＰシート２００から取り出されたか否かの情報を検知装置１００の外部へ出力することができる。
【００７１】  そして、全ての錠剤３００がＰＴＰシート２００から取り出された後、ＰＴＰシート２００をセンシングプレート１１０の上面から取り外す。すなわち、抑えプレート１２０を、ヒンジ１７０を中心に、センシングプレート１１０から離れる方向α１に回転させる。これにより、センシングプレート１１０の上面側が開放される。センシングプレート１１０の上面側が開放された状態で、ＰＴＰシート２００をセンシングプレート１１０の上面から取り外す。
【００７２】  次に、センシングプレート１１０の機械的特性について、ＰＴＰシート２００の薄箔シート２２０および収容部２１１の潰れ量との関係で説明する。
【００７３】  図８は、センシングプレート１１０の機械的特性を示す図である。図８では、縦軸を応力、横軸を距離に設定している。図８に示されるように、センシングプレート１１０は、一定範囲内に弾性域を有する。すなわち、センシングプレート１１０は、距離０〜ＳＡの間であって応力０〜σＡの間で、弾性域を有する。
【００７４】  このとき、ＰＴＰシート２００の薄箔シート２２０の破断応力範囲σＢ（ｍｉｎ）〜σＢ（ｍａｘ）は、センシングプレート１１０の弾性域内に設けられている。併せて、ＰＴＰシート２００の収容部２１１の潰れ量範囲ＳＢ（ｍｉｎ）〜ＳＢ（ｍａｘ）も、センシングプレート１１０の弾性域内に設けられている。
【００７５】  このように、ＰＴＰシート２００の薄箔シート２２０の破断応力範囲σＢ（ｍｉｎ）〜σＢ（ｍａｘ）と、ＰＴＰシート２００の収容部２１１の潰れ量範囲ＳＢ（ｍｉｎ）〜ＳＢ（ｍａｘ）とが、センシングプレート１１０の弾性域内に設けられている。これにより、ＰＴＰシート２００の収容部２１１から錠剤３００を取り出す動作によって、センシングプレート１１０に塑性変形や破断等は生じない。
【００７６】  以上、検知装置１００の動作について説明した。
【００７７】  以上の通り、本発明の第１の実施の形態における検知装置１００は、保持部（センシングプレート１１０、抑えプレート１２０）と、振動検知部（加速度センサ１３０）とを備えている。保持部は、被収容物（錠剤３００）を収容する収容部２１１を有する収容シート（ＰＴＰシート２００）を保持する。振動検知部は、保持部の振動を検知する。
【００７８】  このように、振動検知部は、収容シートを保持する保持部の振動を検知する。この収容シートは被収容物を収容する収容部を有する。したがって、特許文献１に記載の技術のように、複雑な構造を採用することなく、簡素な構造で、被収容物の取り出しを検出できる。
【００７９】  また、本発明の第１の実施の形態における検知装置１００において、保持部は、第１の保持板（センシングプレート１１０）と、第２の保持板（抑えプレート１２０）とを有する。第１の保持板は、平板状に形成されている。第１の保持板は、収容シート（ＰＴＰシート２００）の面のうち、被収容物（錠剤３００）を収容部２１１から取り出す側の面である被収容物取り出し面（錠剤取り出し面２０１）を保持する。第２の保持板は、平板状に形成されている。第２の保持板は、収容シートの面のうち、被収容物取り出し面と反対側の面（錠剤取り出し面と反対側の面２０２）を保持する。保持部は、第１および第２の保持板で、収容シートを挟持するように保持する。第１および第２の保持板の各々は、収容部に対応する位置に貫通するように形成された被収容物取り出し用貫通孔（錠剤取り出し用貫通孔１１１、１１１ａ、錠剤取り出し用貫通孔１２１、１２１ａ）を有する。
【００８０】  このように、保持部は、第１および第２の保持板で、収容シートを挟持するように保持する。このため、収容シートを安定して保持することができる。この結果、振動検知部は、被収容物を収容部から取り出す際に保持部に生じる振動を的確に検知することができる。また、第１および第２の保持板の各々は、被収容物取り出し用貫通孔を有する。そして、被収容物取り出し用貫通孔は、収容部に対応する位置に貫通するように形成されている。このような被収容物取り出し用貫通孔を第１および第２の保持板の各々の適正な位置に形成することにより、被収容物を収容部から取り出す動作を円滑にすることができる。
【００８１】  また、本発明の第１の実施の形態における検知装置１００は、通信部（通信回路１９５）を備えている。通信部は、振動検知部（加速度センサ１３０）により検知された検知結果を外部へ送信する。これにより、被収容物（錠剤３００）が収容シート（ＰＴＰシート２００）から取り出されたか否かの情報等を検知装置１００の外部へ出力することができる。
【００８２】  また、本発明の第１の実施の形態における検知装置１００において、振動検知部は、加速度センサ、角速度センサ、歪ゲージ、磁界センサまたはレーザ変位計のいずれかを利用する。第１の実施の形態では、振動検知部を加速度センサ３００として説明した。しかし、加速度センサ３００に代えて、角速度センサ、歪ゲージ、磁界センサまたはレーザ変位計のいずれかを利用して、振動検知部を構成してもよい。角速度センサ、歪ゲージ、磁界センサまたはレーザ変位計によっても、第１の保持板（センシングプレート１１０）と、第２の保持板（抑えプレート１２０）により構成される保持部の振動を検知することができる。
【００８３】  また、本発明の第１の実施の形態における検知ユニットは、検知装置１００に収容シート（ＰＴＰシート２００）を追加したものである。すなわち、検知ユニットは、収容シート（ＰＴＰシート２００）と、保持部（センシングプレート１１０、抑えプレート１２０）と、振動検知部（加速度センサ１３０）とを備えている。収容シートは、被収容物（錠剤３００）を収容する収容部２１１を有する。保持部は、収容シートを保持する。振動検知部は、保持部の振動を検知する。この構成であっても、前述した検知装置１００の効果と同様の効果を奏する。
【００８４】  次に、本発明の第１の実施の形態における検知システム１０００の構成について説明する。図９は、検知システム１０００の構成を示すブロック線図である。
【００８５】  なお、図９では、図４に示した各構成要素と同等の構成要素には、図４に示した符号と同等の符号を付している。
【００８６】  ここで、図９と、図４を比較する。図９では、検知システム１０００の構成の一部として、サーバ装置９００が追加されている。一方、図４では、検知装置１００のみを構成要件としている。この点で両者は互いに相違する。
【００８７】  図９に示されるように、サーバ装置９００は、通信回路９０１と、記憶回路９０２と、制御回路９０３とを備えている。
【００８８】  図９に示されるように、通信回路９０１は、制御回路９０３に接続されている。通信回路９０１は、検知装置１００の通信回路１９５により送信される検知結果を受信する。なお、この検知結果は、前述の通り、振動検知回路１９１に含まれる加速度センサ１３０により検知された結果である。
【００８９】  図９に示されるように、記憶回路９０２は、制御回路９０３に接続されている。記憶回路９０２は、検知装置１００の通信回路１９５により送信される検知結果を記憶する。
【００９０】  制御回路９０３は、通信回路９０１および記憶回路９０２に接続されている。制御回路は９０３、サーバ装置９００内の電気回路の全て（通信回路９０１および記憶回路９０２を含む。）を制御する。
【００９１】  以上、本発明の第１の実施の形態における検知システム１０００の構成を説明した。
【００９２】  次に、検知システム１０００の動作について説明する。なお、検知装置１００の動作は、前述した通りであるので、一部を省略する。
【００９３】  まず、図５を用いて説明した通り、検知装置１００にＰＴＰシートシート２００を取り付ける。次に、電源回路１９４を作動することにより、電源１９３を振動検知回路１９１等の各回路へ供給する。
【００９４】  次に、検知装置１００の利用者が、錠剤３００をＰＴＰシート２００の収容部２１１から取り出す。
【００９５】  次に、振動検知回路１９１の加速度センサ１３０が、保持部を構成するセンシングプレート１１０または抑えプレート１２０の振動を検知する。
【００９６】  次に、通信回路１９５は、振動検知回路１９１に含まれる加速度センサ１３０により検知された検知結果を検知装置１００の外部へ送信する。これにより、錠剤３００がＰＴＰシート２００から取り出されたか否かの情報を検知装置１００の外部へ出力することができる。
【００９７】  そして、全ての錠剤３００がＰＴＰシート２００から取り出された後、ＰＴＰシート２００をセンシングプレート１１０の上面から取り外す。
【００９８】  サーバ装置９００側では、通信回路９０１が、検知装置１００の通信回路１９５により送信される検知結果を受信する。
【００９９】  次に、記憶回路９０２が、検知装置１００の通信回路１９５により送信される検知結果を記憶する。これにより、検知装置１００の検知結果をサーバ装置９００に保存することができる。
【０１００】  以上、検知システム１０００の動作について説明した。
【０１０１】  以上の通り、本発明の第１の実施の形態における検知システム１０００は、検知装置１００およびサーバ装置９００を有する。検知装置１００は、保持部（センシングプレート１１０、抑えプレート１２０）と、振動検知部（加速度センサ１３０）と、通信部（通信回路１９５）を備えている。保持部は、被収容物（錠剤３００）を収容する収容部２１１を有する収容シート（ＰＴＰシート２００）を保持する。振動検知部は、保持部の振動を検知する。通信部は、振動検知部により検知された検知結果をサーバ装置９００へ送信する。サーバ装置９００は、記憶部（記憶回路１９２）を備えている。この記憶部は、検知装置１００の通信部により送信される検知結果を記憶する。
【０１０２】  このように、サーバ装置９００では、記憶回路９０２が、検知装置１００の通信回路１９５により送信される検知結果を記憶する。これにより、検知装置１００の検知結果をサーバ装置９００に保存することができる。この結果、例えば、検知装置１００以外の他の通信装置（不図示）であっても、サーバ装置９００にアクセスすることにより、検知装置１００の検知結果を取得することができる。したがって、検知結果の情報を様々な関係者（例えば、錠剤３００を服用する本人以外の者として、病院関係者や、介護施設関係者や、親族や、その他の関係者）の間で容易に共有することできる。
【０１０３】  次に、本発明の第１の実施の形態における検知装置の第１の変形例である検知装置１００Ａを説明する。図１０は、検知装置１００Ａの構成を示す上面図である。
【０１０４】  なお、図１０では、図１〜９に示した各構成要素と同等の構成要素には、図１〜９に示した符号と同等の符号を付している。
【０１０５】  図１０に示されるように、検知装置１００Ａは、センシングプレート１１０と、抑えプレート１２０と、加速度センサ１３０と、データ蓄積用ＩＣ１４１と、制御用ＩＣ１４２と、電池１４３と、実装基板１４４と、接続配線１５０と、電子部品収容部１６０と、ヒンジ１７０と、フック１８０とを備えている。センシングプレート１１０および抑えプレート１２０は、本発明の保持部を構成する。
【０１０６】  ここで、図１（ａ）と図１０とを対比する。図１（ａ）では、加速度センサ１３０は、センシングプレート１１０の略中央部に設けられている。これに対して、図１０では、加速度センサ１３０は、センシングプレート１１０の一端部側に設けられている。この点で、図１（ａ）と図１０は互い相違する。
【０１０７】  このように、加速度センサ１３０は、センシングプレート１１０の一端部側に設けられている。これにより、加速度センサ１３０は、センシングプレート１１０の中央部の振動よりも、センシングプレート１３０の端部側の振動をより正確に検知することができる。
【０１０８】  また、図１０に示す例では、加速度センサ１３０および実装基板１４４の間の距離を、図１（ａ）に示す例と比較して、短くすることができる。この結果、図１０に示す例では、図１（ａ）に示す例と比較して、接続配線１５０を短くすることができる。
【０１０９】  次に、本発明の第１の実施の形態における検知装置の第２の変形例である検知装置１００Ａを説明する。図１１は、検知装置１００Ｂの構成を示す上面図である。
【０１１０】  なお、図１１では、図１〜１０に示した各構成要素と同等の構成要素には、図１〜１０に示した符号と同等の符号を付している。
【０１１１】  図１１に示されるように、検知装置１００Ｂは、センシングプレート１１０と、抑えプレート１２０と、加速度センサ１３０ａ、１３０ｂと、データ蓄積用ＩＣ１４１と、制御用ＩＣ１４２と、電池１４３と、実装基板１４４と、接続配線１５０と、電子部品収容部１６０と、ヒンジ１７０と、フック１８０とを備えている。センシングプレート１１０および抑えプレート１２０は、本発明の保持部を構成する。
【０１１２】  ここで、図１（ａ）と図１１とを対比する。図１（ａ）では、１つの加速度センサ１３０は、センシングプレート１１０の略中央部に設けられている。これに対して、図１１では、２つの加速度センサ１３０ａ、１３０ｂは、センシングプレート１１０の両端部側にそれぞれ設けられている。また、２つのセンサ収容部１１２ａ、１１２ｂが２つの加速度センサ１３０ａ、１３０ｂの配置位置に合わせて、形成されている。これらの点で、図１（ａ）と図１１は互い相違する。
【０１１３】  なお、加速度センサ１３０ａは、接続配線１５０ａを介して、実装基板１４４上のデータ蓄積用ＩＣ１４１に接続されている。加速度センサ１３０ｂは、接続配線１５０ｂを介して、実装基板１４４上のデータ蓄積用ＩＣ１４１に接続されている。
【０１１４】  以上の通り、本発明の第１の実施の形態における検知装置の第２の変形例である検知装置１００Ａは、複数の振動検知部（加速度センサ１３０ａ、１３０ｂ）を有している。複数の振動検知部の各々は、互いに離間して配置されている。
【０１１５】  このように、複数の振動検知部が互いに離間して配置されているので、複数の振動検知部は、保持部（センシングプレート１１０）の複数個所で、当該保持部の振動を検知することができる。この結果、検知装置１００Ｂは、小さな振動であっても、保持部の振動をより正確に検知することができる。
【０１１６】  図１１の具体例では、加速度センサ１３０は、センシングプレート１１０の両端部側に設けられている。これにより、加速度センサ１３０は、センシングプレート１１０の両端部側の２か所で、センシングプレート１１０の振動を検知することができる。
【０１１７】  ＜第２の実施の形態＞  本発明の第２の実施の形態における検知装置１００Ｃの外観構成について説明する。図１２は、本発明の検知装置１００Ｃの構成を示す断面図である。この図１２は、図１（ｂ）に相当する図である。
【０１１８】  なお、図１２では、図１〜１１に示した各構成要素と同等の構成要素には、図１〜１１に示した符号と同等の符号を付している。
【０１１９】  図１２に示されるように、検知装置１００Ｃは、センシングプレート１１０と、加速度センサ１３０と、データ蓄積用ＩＣ１４１と、制御用ＩＣ１４２と、電池１４３と、実装基板１４４と、接続配線１５０と、電子部品収容部１６０とを備えている。センシングプレート１１０は、本発明の保持部を構成する。
【０１２０】  ここで、図１（ｂ）と図１２とを対比する。図１（ｂ）では、抑えプレート１２０がセンシングプレート１１０と向かい合うように設けられている。これに対して、図１２では、抑えプレート１２０は設けられていない。このため、図１２では、ヒンジ１７０およびフック１８０も設けられていない。
【０１２１】  図１２に示されるように、検知装置１００Ｃには、ＰＴＰシート２００が収容される。このとき、ＰＴＰシート２００の面のうち、錠剤取り出し面２０１は、センシングプレート１１０の上面と向かい合うように配置される。
【０１２２】  両面粘着シート７００は、ＰＴＰシート２００の錠剤取り出し面２０１と、センシングプレート１１０の上面の間に、配置される。すなわち、ＰＴＰシート２００の錠剤取り出し面２０１およびセンシングプレート１１０の上面は、両面粘着シート７００によって接着される。これにより、ＰＴＰシート２００が、センシングプレート１１０の上面に固定される。なお、両面粘着シート７００には、複数の開口部が形成されている。これらの複数の開口部は、ＰＴＰシート２００の収容部２１１およびセンシングプレート１１０の複数の錠剤取り出し用貫通孔１１１の位置に対応するように、形成されている。
【０１２３】  図１２に示されるように、センシングプレート１１０は、ＰＴＰシート２００の面のうち、錠剤取り出し面２０１を保持する。
【０１２４】  また、図１２に示されるように、併せて第１の実施の形態と同様に、センシングプレート１１０の複数の錠剤取り出し用貫通孔１１１は、複数の収容部２１１の位置に対応する位置に形成されている。
【０１２５】  以上、検知装置１００Ｃの外観構成について、説明した。
【０１２６】  次に、検知装置１００Ｃの動作について説明する。
【０１２７】  まず、検知装置１００ＣにＰＴＰシートシート２００を取り付ける。このとき、ＰＴＰシート２００の錠剤取り出し面２０１およびセンシングプレート１１０の上面を、両面粘着シート７００によって接着する。これにより、ＰＴＰシート２００が、センシングプレート１１０の上面に固定される。なお、取り付けの際には、４つの位置決め用突起部１１３（図１２では不図示。図１（ａ）、（ｂ）を参照。）の内側の領域内に、ＰＴＰシート２００が配置されるように設定する。これにより、ＰＴＰシート２００をセンシングプレート１１０の上面上の正確な位置に簡単に取り付けることができる。
【０１２８】  次に、電源回路１９４を作動することにより、電源１９３を振動検知回路１９１等の各回路へ供給する。
【０１２９】  次に、検知装置１００の利用者が、錠剤３００をＰＴＰシート２００の収容部２１１から取り出す。
【０１３０】  次に、振動検知回路１９１の加速度センサ１３０が、保持部を構成するセンシングプレート１１０の振動を検知する。
【０１３１】  そして、全ての錠剤３００がＰＴＰシート２００から取り出された後、ＰＴＰシート２００をセンシングプレート１１０の上面から取り外す。
【０１３２】  以上、検知装置１００Ｃの動作について説明した。
【０１３３】  以上の通り、本発明の第２の実施の形態における検知装置１００Ｃにおいて、保持部は、平板状に形成され、被収容物（錠剤３００）を収容する収容部２１１を有する収容シート（ＰＴＰシート２００）の面のうち、被収容物を収容部から取り出す側の面である被収容物取り出し面（錠剤取り出し面２０１）を保持する保持板（センシングプレート１１０）である。また、保持板（センシングプレート１１０）は、収容部に対応する位置に貫通するように形成された被収容物取り出し用貫通孔（錠剤取り出し用貫通孔１１１）を有する。
【０１３４】  このように、１枚の保持板のみにより収容シートの被収容物取り出し面を保持することもできる。これにより、より簡素な構成で収容シートを保持することができ、より簡素な構成で被収容物の取り出しを検出できる。
【０１３５】  ＜第３の実施の形態＞  本発明の第３の実施の形態における検知装置１００Ｄの外観構成について説明する。図１３は、本発明の検知装置１００Ｄの構成を示す断面図である。この図１３は、図１（ｂ）に相当する図である。
【０１３６】  なお、図１３では、図１〜１２に示した各構成要素と同等の構成要素には、図１〜１２に示した符号と同等の符号を付している。
【０１３７】  図１３に示されるように、検知装置１００Ｄは、抑えプレート１２０と、加速度センサ１３０と、データ蓄積用ＩＣ１４１と、制御用ＩＣ１４２と、電池１４３と、実装基板１４４と、接続配線１５０と、電子部品収容部１６０とを備えている。抑えプレート１２０は、本発明の保持部を構成する。
【０１３８】  ここで、図１（ｂ）と図１３とを対比する。図１（ｂ）では、抑えプレート１２０がセンシングプレート１１０と向かい合うように設けられている。これに対して、図１３では、センシングプレート１１０は設けられていない。このため、図１３では、ヒンジ１７０およびフック１８０も設けられていない。また、図１（ｂ）では、センシングプレート１１０が電子部品収容部１６０に連結されていた。これに対して、図１３では、抑えプレート１２０が電子部品収容部１６０に連結されている。
【０１３９】  図１３に示されるように、検知装置１００Ｄには、ＰＴＰシート２００が取り付けられる。このとき、ＰＴＰシート２００の面のうち、錠剤取り出し面と反対側の面２０２は、抑えプレート１２０の下面と向かい合うように配置される。
【０１４０】  両面粘着シート７００は、ＰＴＰシート２００の錠剤取り出し面と反対側の面２０２と、抑えプレート１２０の下面の間に、配置される。すなわち、ＰＴＰシート２００の錠剤取り出し面と反対側の面２０２および抑えプレート１２０の下面は、両面粘着シート７００によって接着される。これにより、ＰＴＰシート２００が、抑えプレート１２０の下面に固定される。なお、前述と同様に、両面粘着シート７００には、複数の開口部が形成されている。これらの複数の開口部は、ＰＴＰシート２００の収容部２１１および抑えプレート１２０の複数の錠剤取り出し用貫通孔１２１の位置に対応するように、形成されている。
【０１４１】  図１３に示されるように、抑えプレート１２０は、ＰＴＰシート２００の面のうち、錠剤取り出し面と反対側の面２０２を保持する。
【０１４２】  また、図１３に示されるように、併せて第１の実施の形態と同様に、抑えプレート１２０の複数の錠剤取り出し用貫通孔１２１は、複数の収容部２１１の位置に対応する位置に形成されている。複数の収容部２１１の各々は、複数の錠剤取り出し用貫通孔１２１の中に収容される。
【０１４３】  以上、検知装置１００Ｄの外観構成について、説明した。
【０１４４】  次に、検知装置１００Ｄの動作について説明する。
【０１４５】  まず、検知装置１００ＤにＰＴＰシートシート２００を取り付ける。このとき、ＰＴＰシート２００の錠剤取り出し面と反対側の面２０２および抑えプレート１２０の下面を、両面粘着シート７００によって接着する。これにより、ＰＴＰシート２００が、抑えプレート１２０の下面に固定される。
【０１４６】  次に、電源回路１９４を作動することにより、電源１９３を振動検知回路１９１等の各回路へ供給する。
【０１４７】  次に、検知装置１００の利用者が、錠剤３００をＰＴＰシート２００の収容部２１１から取り出す。
【０１４８】  次に、振動検知回路１９１の加速度センサ１３０が、保持部を構成する抑えプレート１２０の振動を検知する。
【０１４９】  そして、全ての錠剤３００がＰＴＰシート２００から取り出された後、ＰＴＰシート２００を抑えプレート１２０の上面から取り外す。
【０１５０】  以上、検知装置１００Ｄの動作について説明した。
【０１５１】  以上の通り、本発明の第３の実施の形態における検知装置１００Ｄにおいて、保持部は、平板状に形成され、被収容物（錠剤３００）を収容する収容部２１１を有する収容シート（ＰＴＰシート２００）の面のうち、被収容物を収容部から取り出す側の面である被収容物取り出し面と反対側の面（錠剤取り出し面と反対側の面２０２）を保持する保持板（抑えプレート１２０）である。また、保持板（抑えプレート１２０）は、収容部に対応する位置に貫通するように形成された被収容物取り出し用貫通孔（錠剤取り出し用貫通孔１２１）を有する。
【０１５２】  このように、１枚の保持板のみにより収容シートの被収容物取り出し面を保持することもできる。これにより、より簡素な構成で収容シートを保持することができ、より簡素な構成で、被収容物の取り出しを検出できる。
【０１５３】  ＜第４の実施の形態＞  本発明の第４の実施の形態における検知装置１００Ｅの外観構成について説明する。図１４は、本発明の検知装置１００Ｅの構成を示す断面図である。この図１４は、図１（ｂ）に相当する図である。
【０１５４】  なお、図１４では、図１〜１３に示した各構成要素と同等の構成要素には、図１〜１３に示した符号と同等の符号を付している。
【０１５５】  図１４に示されるように、検知装置１００Ｅは、センシングプレート１１０と、抑えプレート１２０と、加速度センサ１３０と、データ蓄積用ＩＣ１４１と、制御用ＩＣ１４２と、電池１４３と、実装基板１４４と、接続配線１５０と、電子部品収容部１６０と、ばね保持プレート４１０と、ばね５００とを備えている。センシングプレート１１０と抑えプレート１２０は、本発明の保持部を構成する。ばね５００は、本発明の弾性部材に対応する。なお、本発明の弾性部材は、ばね５００に限定されない。
【０１５６】  ここで、図１（ｂ）と図１４とを対比する。図１４では、ばね保持プレート４１０およびばね５００が更に設けられている点で、図１（ｂ）と相違する。また、図１（ｂ）では、センシングプレート１１０が電子部品収容部１６０に連結されていた。これに対して、図１４では、ばね保持プレート４１０が電子部品収容部１６０に連結されている。
【０１５７】  また、図１４では、ヒンジ１７０およびフック１８０が設けられていない点で、図１（ｂ）と異なる。ＰＴＰシート２００は、センシングプレート１１０および抑えシート１２０の間に、例えば両面粘着材等で固定される。
【０１５８】  図１４に示されるように、ばね保持プレート４１０は、センシングプレート１１０の下面と、一定の距離で離間された状態で、向かい合うように設けられている。ばね保持プレート４１０の下面と、センシングプレート１１０の上面の四隅は、ばね５００により接続されている。すなわち、ばね保持プレート４１０に取り付けられた４つのばね５００が、鉛直方向で、センシングプレート１１０を保持している。センシングプレート１１０を鉛直方向の下方に押圧すると、ばね５００が圧縮する。このばね５００の圧縮によって、ばね５００には鉛直方向の上方へ反力が生じる。このように、ばね５００は、センシングプレート１１０の振動を助長する。
【０１５９】  また、図１４に示されるように、ばね保持プレート４１０の複数の錠剤取り出し用貫通孔４１１と、センシングプレート１１０の複数の錠剤取り出し用貫通孔１１１と、抑えプレート１２０の複数の錠剤取り出し用貫通孔１２１は、互いに対応する位置に設けられている。
【０１６０】  図１４では、ばね５００は、４つ設けられている。すなわち、４つのばね５００は、ばね保持プレート４１０の下面およびセンシングプレート１１０の上面の四隅に設けられ、これらを連結している。なお、ここでは、４つのばね５００を設けると説明したが、これに限定されない。また、ここでは、ばね５００を弦巻ばねを採用したが、ばね５００を板ばね等で構成してもよい。
【０１６１】  以上、検知装置１００Ｅの外観構成について、説明した。
【０１６２】  次に、検知装置１００Ｅの動作について説明する。
【０１６３】  まず、検知装置１００ＥにＰＴＰシートシート２００を取り付ける。このとき、センシングシート１１０と抑えシート１２０の間でＰＴＰシート２００を挟持するように、例えば両面粘着材等（不図示）を用いて、ＰＴＰシート２００を検知装置１００Ｅに取り付ける。これにより、ＰＴＰシート２００が、センシングシート１１０と抑えシート１２０とから構成される保持部に保持される。
【０１６４】  次に、電源回路１９４を作動することにより、電源１９３を振動検知回路１９１等の各回路へ供給する。
【０１６５】  次に、検知装置１００Ｅの利用者が、錠剤３００をＰＴＰシート２００の収容部２１１から取り出す。このとき、検知装置１００の利用者の指により収容部２１１が押圧されると、センシングプレート１１０が鉛直方向下方へ移動し、ばね５００が圧縮する。そして、このばね５００の圧縮によって、ばね５００には鉛直方向の上方へ反力が生じる。ばね５００の弾性力によって、センシングプレート１１０が上下する。
【０１６６】  次に、振動検知回路１９１の加速度センサ１３０が、センシングプレート１１０の振動を検知する。このとき、前述の通り、ばね５００の弾性力によってセンシングプレート１１０の振動が助長されているので、振動検知回路１９１はより大きな信号でセンシングプレート１１０の振動を検知することができる。
【０１６７】  そして、全ての錠剤３００がＰＴＰシート２００から取り出された後、ＰＴＰシート２００をセンシングプレート１１０および抑えプレート１２０から取り外す。
【０１６８】  以上、検知装置１００Ｅの動作について説明した。
【０１６９】  以上の通り、本発明の第４の実施の形態における検知装置１００Ｅにおいて、保持部（センシングプレート１１０）の振動を助長する弾性部材（ばね５００）を有する。弾性部材の弾性力によって保持部の振動が助長されているので、振動検知部（加速度センサ３００）はより大きな信号で保持部（センシングプレート１１０）の振動を検知することができる。
【０１７０】  ＜第５の実施の形態＞  本発明の第５の実施の形態における検知装置１００Ｆの外観構成について説明する。図１５は、本発明の検知装置１００Ｆの構成を示す断面図である。この図１５（ａ）は、図２に相当する断面図である。図１５（ｂ）は、図１５（ａ）のＣ−Ｃ切断面における断面図である。
【０１７１】  なお、図１５（ａ）、（ｂ）では、図１〜１４に示した各構成要素と同等の構成要素には、図１〜１４に示した符号と同等の符号を付している。
【０１７２】  図１５（ａ）および図１５（ｂ）に示されるように、検知装置１００Ｆは、センシングプレート１１０Ａと、抑えプレート１２０と、加速度センサ１３０と、電子部品収容部１６０とを備えている。なお、電子部品収容部１６０は、第１の実施の形態と同様に、データ蓄積用ＩＣ１４１と、制御用ＩＣ１４２と、電池１４３と、実装基板１４４とを収容する。センシングプレート１１０Ａと抑えプレート１２０は、本発明の保持部を構成する。
【０１７３】  ここで、図２と図１５（ａ）とを対比する。図１５（ａ）では、センシングプレート１１０Ａが剛性増強部材６００を有する点で、図２と相違する。
【０１７４】  図１５（ａ）および図１５（ｂ）に示されるように、センシングプレート１１０Ａの両側部には、剛性増強部材用貫通孔１１４が形成されている。また、剛性増強部材６００が剛性増強部材用貫通孔１１４に挿入されている。この剛性増強部材６００には、センシングプレート６００の剛性を高めるような特性を持つ材料を用いることができ、その中でも例えば弦巻ばね部材のような部材を用いることが好ましい。剛性増強部材６００は、センシングプレート１１０Ａの長手方向（図１５（ａ）紙面に対して略垂直方向、図１５（ｂ）紙面に対して略平行方向）に延在するように、配置されている。このように、剛性増強部材６００をセンシングプレート１１０Ａ内に挿入することにより、センシングプレート１１０Ａの剛性を増強することができる。
【０１７５】  以上の通り、本発明の第５の実施の形態における検知装置１００Ｆは、保持部（センシングプレート１１０Ａ）の剛性を増強する剛性増強部材６００を有する。これにより、保持部（センシングプレート１１０Ａ）の剛性を増強することができる。この結果、保持部の弾性率を調整することができる。保持部の弾性率を調整することによって、加速度センサ１３０の検知頻度を調整できる。
【０１７６】  ＜第６の実施の形態＞  本発明の第６の実施の形態における検知装置１００Ｇの外観構成について説明する。図１６は、本発明の検知装置１００Ｇの構成を示す断面図である。この図１６は、図１（ｂ）に相当する図である。
【０１７７】  なお、図１６では、図１〜１５に示した各構成要素と同等の構成要素には、図１〜１５に示した符号と同等の符号を付している。
【０１７８】  図１６に示されるように、検知装置１００Ｇは、センシングプレート１１０と、抑えプレート１２０と、加速度センサ１３０と、電子部品収容部１６０Ａとを備えている。センシングプレート１１０と抑えプレート１２０は、本発明の保持部を構成する。なお、電子部品収容部１６０Ａは、本発明の連結部材に相当する。
【０１７９】  ここで、図１（ｂ）と図１６とを対比する。図１（ｂ）では、センシングプレート１１０と電子部品収容部１６０が一体になるように連結されていた。これに対して、図１６では、センシングプレート１１０と電子部品収容部１６０Ａは、分離可能に連結されている。また、図１（ｂ）では、加速度センサ１３０は、センシングプレート１１０に取り付けられていた。これに対して、図１６では、加速度センサ１３０は、電子部品収容部１６０Ａ内に収容されている。これらの点で、図１（ｂ）と図１６は互いに相違する。
【０１８０】  また、図１６では、ヒンジ１７０およびフック１８０が設けられていない点で、図１（ｂ）と異なる。ＰＴＰシート２００は、センシングプレート１１０および抑えシート１２０の間に、例えば両面粘着材等で固定される。
【０１８１】  図１６に示されるように、電子部品収容部１６０Ａは、加速度センサ１３０と、データ蓄積用ＩＣ１４１と、制御用ＩＣ１４２と、電池１４３と、実装基板１４４とを収容する。このように、電子部品収容部１６０Ａは、少なくとも、加速度センサ１３０と、この加速度センサ１３０へ電源を供給する電池１４３とを収容する。すなわち、加速度センサ１３０はセンシングシート１１０または抑えシート１２０に取り付けられていない。このように、電子部品収容部１６０Ａ内に電子部品の全てを収容することができる。このため、例えば電子部品収容部１６０Ａ以外の部材を、簡素な構成で安価に構成することができる。これにより、例えば、センシングシート１１０、ＰＴＰシート２００および抑えシート１２０の積層体を、消耗商品として扱うこともできる。
【０１８２】  また、図１６に示されるように、加速度センサ１３０とデータ蓄積用ＩＣ１４１は、電子部品収容部１６０Ａ内で、接続配線１５０を介して、電気的に接続されている。
【０１８３】  電子部品収容部１６０Ａの加速度センサ１３０側には、センシングプレート１１０の一端部の下面が、取り付けまたは取り外しできるように、例えば、両面粘着材や磁石によって取り付けられる。
【０１８４】  以上、検知装置１００Ｇの構成を説明した。
【０１８５】  次に、検知装置１００Ｇの動作について説明する。
【０１８６】  まず、センシングシート１１０および抑えシート１２０の間に、例えば両面粘着材（不図示）を用いて、ＰＴＰシートシート２００を保持する。このとき、ＰＴＰシート２００の錠剤取り出し面２０１およびセンシングプレート１１０の上面が、互いに向かい合うように設定する。また、ＰＴＰシート２００の錠剤取り出し面と反対側の面２０２および抑えシート１２０の下面が、互いに向かい合うように設定する。これにより、センシングプレート１１０および抑えプレート１２０の間にＰＴＰシート２００を配置した状態で、ＰＴＰシート２００を挟持することができる。
【０１８７】  次に、図１６に示されるように、センシングシート１１０、ＰＴＰシート２００および抑えシート１２０の積層体の一端部側を、電子部品収容部１６０Ａの加速度センサ１３０側に、例えば例えば両面粘着材（不図示）や磁石（不図示）を用いて取り付ける。
【０１８８】  次に、電源回路１９４を作動することにより、電源１９３を振動検知回路１９１等の各回路へ供給する。これにより、特に、振動検知回路１９１は、保持部を構成するセンシングプレート１１０または抑えプレート１２０の振動を検知できる状態となる。
【０１８９】  次に、検知装置１００の利用者が、錠剤３００をＰＴＰシート２００の収容部２１１から取り出す。
【０１９０】  次に、振動検知回路１９１の加速度センサ１３０が、保持部を構成するセンシングプレート１１０または抑えプレート１２０の振動を検知する。このとき、加速度センサ１３０は、センシングプレート１１０または抑えプレート１２０の振動を、電子部品収容部１６０Ａの筐体端部を介して、検知する。
【０１９１】  そして、全ての錠剤３００がＰＴＰシート２００から取り出された後、センシングシート１１０、ＰＴＰシート２００および抑えシート１２０の積層体を、電子部品収容部１６０Ａから取り外す。また、ＰＴＰシート２００をセンシングプレート１１０および抑えシート１２０から取り外す。
【０１９２】  なお、前述の通り、センシングシート１１０、ＰＴＰシート２００および抑えシート１２０の積層体を、１つの消耗商品として扱うこともできる。この場合、センシングシート１１０、ＰＴＰシート２００および抑えシート１２０の積層体の組み付けは不要となる。
【０１９３】  以上、検知装置１００Ｇの動作について説明した。
【０１９４】  本発明の第６の実施の形態における検知装置１００Ｇは、連結部材（電子部品収容部１６０Ａ）を備えている。この連結部材は、保持部（センシングシート１１０、抑えシート１２０）に取り付けまたは取り外しできるように連結する。連結部材は、振動検知部（加速度センサ１３０）と、振動検知部に電源を供給する電源部（電池１４３）とを収容する。
【０１９５】  このように、連結部材は、振動検知部と電源部とを収容し、保持部と分離されている。このため、検知装置１００Ｇは、保持部に振動検知部を設けた場合（検知装置１００等）と比較して、保持部側をより簡素な構成で安価に構成することができる。これにより、保持部側の構成（センシングシート１１０、ＰＴＰシート２００および抑えシート１２０）を使い捨て商品として扱うこともできる。
【０１９６】  ＜第７の実施の形態＞  本発明の第７の実施の形態における検知装置１００Ｈの外観構成について説明する。図１７は、本発明の検知装置１００Ｈの構成を示す断面図である。この図１７は、図１（ｂ）に相当する図である。
【０１９７】  なお、図１７では、図１〜１６に示した各構成要素と同等の構成要素には、図１〜１６に示した符号と同等の符号を付している。
【０１９８】  図１７に示されるように、検知装置１００Ｇは、センシングプレート１１０Ｃと、加速度センサ１３０と、電子部品収容部１６０Ｂとを備えている。センシングプレート１１０Ｃは、本発明の保持部を構成する。なお、電子部品収容部１６０Ｂは、本発明の連結部材に相当する。
【０１９９】  ここで、図１２と図１７とを対比する。図１２では、センシングプレート１１０と電子部品収容部１６０が一体になるように連結されていた。これに対して、図１６では、センシングプレート１１０Ｃと電子部品収容部１６０Ｂは、分離可能に連結されている。また、図１２では、加速度センサ１３０は、センシングプレート１１０に取り付けられていた。これに対して、図１７では、加速度センサ１３０は、電子部品収容部１６０Ｂ内に収容されている。これらの点で、図１２と図１７は互いに相違する。
【０２００】  また、図１６と図１７を対比する。図１６では、電子部品収容部１６０Ａは、電池１４３も収容していた。これに対して、図１７では、電子部品収容部１６０Ｂは、電池１４３を収容しない。また、図１６では、抑えシート１２０を備えていた点で、図１７と異なる。これらの点で、図１６と図１７は互いに相違する。
【０２０１】  図１７に示されるように、センシングプレート１１０Ｃは、複数の錠剤取り出し用貫通孔１１１に加えて、電池収容部１１８を有する。電池収容部１１８は、センシングプレート１１０Ｃの一端部側に設けられている。電池収容部１１８は、電池１４３を収容する。なお、ＰＴＰシート２００は、センシングプレート１１０Ｃに、両面粘着材７００で固定される。
【０２０２】  図１７に示されるように、電子部品収容部１６０Ｂは、加速度センサ１３０と、データ蓄積用ＩＣ１４１と、制御用ＩＣ１４２と、実装基板１４４とを収容する。
【０２０３】  また、図１７に示されるように、加速度センサ１３０とデータ蓄積用ＩＣ１４１は、電子部品収容部１６０Ｂ内で、接続配線１５０を介して、電気的に接続されている。
【０２０４】  ここで、センシングプレート１１０Ｃの電池収容部１１８は、電子部品収容部１６０Ｂに、抜き差し可能に取り付けできる。図１７に示されるように、センシングプレート１１０Ｃの電池収容部１１８が電池収容部１６０Ｂに挿入されると、電池１４３は実装基板１４４と向かい合う。そして、電池収容部１１８内の電池１４３の電源が、例えば短距離無線通信により、電子部品収容部１６０Ｂ内の実装基板１４４へ供給される。この場合、電池収容部１１８および実装基板１４４上には、短距離無線通信に対応する通信部品が設けられている。
【０２０５】  このように、電子部品収容部１６０Ｂは、少なくとも、加速度センサ１３０を収容する。すなわち、加速度センサ１３０はセンシングシート１１０Ｃに取り付けられていない。このように、電子部品収容部１６０Ｂ内に主要な電子部品の全てを収容することができる。このため、例えば電子部品収容部１６０Ｂ内の搭載部品以外を、簡素な構成で安価に構成することができる。これにより、例えば、センシングシート１１０ＣおよびＰＴＰシート２００の積層体を、使い捨て商品として扱うこともできる。
【０２０６】  以上、検知装置１００Ｈの構成を説明した。
【０２０７】  次に、検知装置１００Ｈの動作について説明する。
【０２０８】  まず、センシングシート１１０Ｃの上面上に、両面粘着材７００を用いて、ＰＴＰシートシート２００を保持する。
【０２０９】  次に、図１７に示されるように、センシングシート１１０Ｃの電池収容部１１８側を、電子部品収容部１６０Ｂに挿入する。これにより、センシングシート１１０Ｃと電子部品収容部１６０Ｂが一体となる。そして、電池１４３と実装基板１４４が互いに向かい合う。
【０２１０】  次に、電源回路１９４を作動することにより、電源１９３を振動検知回路１９１等の各回路へ供給する。すなわち、電池収容部１１８内の電池１４３の電源が、例えば短距離無線通信により、電子部品収容部１６０Ｂ内の実装基板１４４へ供給される。これにより、特に、振動検知回路１９１は、保持部を構成するセンシングプレート１１０Ｃの振動を検知できる状態となる。
【０２１１】  次に、検知装置１００の利用者が、錠剤３００をＰＴＰシート２００の収容部２１１から取り出す。
【０２１２】  次に、振動検知回路１９１の加速度センサ１３０が、保持部を構成するセンシングプレート１１０Ｃの振動を検知する。このとき、加速度センサ１３０は、センシングプレート１１０Ｃの振動を、電子部品収容部１６０Ｂの筐体端部を介して、検知する。
【０２１３】  そして、全ての錠剤３００がＰＴＰシート２００から取り出された後、センシングシート１１０Ｃを、電子部品収容部１６０Ｂから抜き出す。また、ＰＴＰシート２００をセンシングプレート１１０Ｃから取り外す。
【０２１４】  なお、前述の通り、センシングシート１１０ＣおよびＰＴＰシート２００の積層体を、１つの使い捨て商品として扱うこともできる。この場合、センシングシート１１０ＣおよびＰＴＰシート２００積層体の組み付けは不要となる。
【０２１５】  以上、検知装置１００Ｈの動作について説明した。
【０２１６】  本発明の第７の実施の形態における検知装置１００Ｈは、連結部材（電子部品収容部１６０Ｂ）を備えている。この連結部材は、保持部（センシングシート１１０、抑えシート１２０）に取り付けまたは取り外しできるように連結する。保持部は、振動検知部（加速度センサ１３０）に電源を供給する電源部（電池１４３）を有する。また、連結部材は、振動検知部を収容する。
【０２１７】  このように、連結部材は振動検知部を収容し、保持部は電池を有する。そして、連結部材および保持部は分離することができる。このため、検知装置１００Ｈは、保持部に振動検知部を設けた場合（検知装置１００等）と比較して、保持部側をより簡素な構成で安価に構成することができる。これにより、保持部側の構成（センシングシート１１０、ＰＴＰシート２００および抑えシート１２０）を使い捨て商品として扱うこともできる。
【０２１８】  以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【０２１９】  １００、１００Ａ、１００Ｂ    検知装置  １００Ｃ、１００Ｄ、１００Ｅ    検知装置  １００Ｆ、１００Ｇ、１００Ｈ    検知装置  １１０、１１０Ａ    センシングプレート  １１１、１１１ａ    錠剤取り出し用貫通孔  １１２、１１２ａ、１１２ｂ    センサ収容部  １１３    位置決め用突起部  １１４    剛性増強部材用貫通孔  １１８    電池収容部  １２０    抑えプレート  １２１、１２１ａ    錠剤取り出し用貫通孔  １３０    加速度センサ  １４１    データ蓄積用ＩＣ  １４２    制御用ＩＣ  １４３    電池  １４４    実装基板  １５０、１５０ａ、１５０ｂ    接続配線  １６０、１６０Ａ、１６０Ｂ    電子部品収容部  １７０    ヒンジ  １８０    フック  １９１    振動検知回路  １９２    記憶回路  １９３    電池  １９４    電源回路  １９５    通信回路  １９６    制御回路  ２００    ＰＴＰシート  ２０１    錠剤取り出し面  ２０２    錠剤取り出し面と反対側の面  ２１０    トレー部  ２１１    収容部  ２１２    開口部  ２２０    薄箔シート  ３００    錠剤  ４１０    ばね保持プレート  ４１１    錠剤取り出し用貫通孔  ５００    ばね  ９００    サーバ装置  ９０１    通信回路  ９０２    記憶回路  ９０３    制御回路
【図１】
2015132811.tif 000003
【図２】
2015132811.tif 000004
【図３】
2015132811.tif 000005
【図４】
2015132811.tif 000006
【図５】
2015132811.tif 000007
【図６】
2015132811.tif 000008
【図７】
2015132811.tif 000009
【図８】
2015132811.tif 000010
【図９】
2015132811.tif 000011
【図１０】
2015132811.tif 000012
【図１１】
2015132811.tif 000013
【図１２】
2015132811.tif 000014
【図１３】
2015132811.tif 000015
【図１４】
2015132811.tif 000016
【図１５】
2015132811.tif 000017
【図１６】
2015132811.tif 000018
【図１７】
2015132811.tif 000019
【国際調査報告】
2015132811.tif 000020
2015132811.tif 000021